(57)【要約】【課題】  上にケーブルが敷設された場合でも、ケーブルの損傷などを軽減可能なグレーチングを提供する。【解決手段】  上方が開口した凹状でケーブルＣを収容可能な収容部１２ａを上面側に形成し、収容部１２ａに収容されたケーブルＣをグレーチング１の外側に導く端部に、ケーブルＣを面で支持する面支持部１３を設ける。ケーブルＣが収容部１２ａに収容されるため、ケーブルＣが人に踏まれたりすることがない。また、グレーチング１の端部においてはケーブルＣが面支持部１３によって面で支持されるため、ケーブルＣの上を人が踏んだりしても、ケーブルＣに与える応力が軽減される。これらの結果、ケーブルＣの損傷や劣化が著しく軽減される。【選択図】  図４
2010144343.tif 000002
【特許請求の範囲】
【請求項１】
格子状のグレーチングにおいて、上方が開口した凹状でケーブルを収容可能な収容部が上面側に形成されている、ことを特徴とするグレーチング。
【請求項２】
前記収容部に収容されたケーブルをグレーチングの外側に導く端部に、前記ケーブルを面で支持する面支持部が設けられている、ことを特徴とする請求項１に記載のグレーチング。
【発明の詳細な説明】
【技術分野】
【０００１】
この発明は、格子状の溝蓋であるグレーチングに関する。
【背景技術】
【０００２】
鋼製などのグレーチングは、側溝などの溝蓋として使用され、格子状（網目状）のため雨水などが側溝などに流入するようになっている。このようなグレーチングの上に電線や通信線などのケーブルが敷設された場合、ケーブルは、グレーチングの格子子（格子を組み立てる縦横の部材）と点接触または線接触した状態となる。
【０００３】
また、グレーチングの下方にケーブルを敷設できるようにしたラックユニットが知られている（例えば、特許文献１参照。）。このラックユニットは、並行に配設された親桁と、底辺に架設された子桁とで収容空間を形成し、この収容空間の上部にグレーチングをヒンジを介して開閉自在に配設し、グレーチングを開けることでケーブルを収容空間に収容できるようにしたものである。
【特許文献１】特開２００２−１６５３２４号公報
【発明の開示】
【発明が解決しようとする課題】
【０００４】
ところで、グレーチングの上にケーブルを敷設した場合、上記のようにケーブルは、グレーチングの格子子と点接触または線接触した状態となり、このような状態でケーブルの上を人が踏んだり、重量物が置かれたりすると、ケーブルに大きな応力（集中応力）がかかる。この結果、ケーブルに損傷を与えたり、ケーブルの劣化を招く場合がある。一方、上記特許文献１に記載されたようなラックユニットでは、親桁と子桁とを備え、グレーチングを開閉自在に配設しなければならず、構造が複雑で高価となる。しかも、ケーブルを収容したり、ケーブルを取り出すたりするたびに、重量物であるグレーチングを開け閉めしなければならず、多大な労力と時間とを要する。
【０００５】
そこでこの発明は、上にケーブルが敷設された場合でも、ケーブルの損傷などを軽減可能なグレーチングを提供することを目的とする。
【課題を解決するための手段】
【０００６】
上記目的を達成するために請求項１に記載の発明は、格子状のグレーチングにおいて、上方が開口した凹状でケーブルを収容可能な収容部が上面側に形成されている、ことを特徴とする。
【０００７】
この発明によれば、電線や通信線などのケーブルを上から収容部に収容することで、グレーチングの上面からケーブルが突出しない。
【０００８】
請求項２に記載の発明は、請求項１に記載のグレーチングにおいて、前記収容部に収容されたケーブルをグレーチングの外側に導く端部に、前記ケーブルを面で支持する面支持部が設けられている、ことを特徴とする。
【０００９】
この発明によれば、ケーブルを収容部に収容しグレーチングの外側に延ばして配設すると、グレーチングの端部においてケーブルが面支持部によって面で支持される。
【発明の効果】
【００１０】
請求項１に記載の発明によれば、ケーブルを収容部に収容することで、ケーブルがグレーチングの上面から突出することが避けられ、ケーブルが人に踏まれたり、重量物で押圧されたりすることがない。この結果、ケーブルの損傷や劣化を著しく軽減することができる。また、収容部は上方が開口した凹状であるため、ケーブルを上から入れたり出したりするだけで、容易にケーブルを収容、取り出しできる。しかも、凹状の収容部を設けるだけであるため、構造が簡単で、安価となる。
【００１１】
請求項２に記載の発明によれば、グレーチングの端部においてはケーブルが面支持部によって面で支持されるため、ケーブルの上を人が踏んだり、重量物が置かれたりしたとしても、ケーブルに与える応力が軽減され、ケーブルの損傷や劣化を軽減することができる。
【発明を実施するための最良の形態】
【００１２】
以下、この発明を図示の実施の形態に基づいて説明する。
【００１３】
図１は、この発明の実施の形態に係るグレーチング１を示す平面図である。このグレーチング１は、側溝などの溝蓋として使用され、後述するように、ケーブルＣを敷設可能となっている。
【００１４】
グレーチング１は鋼製で、平板状で図中縦方向に延びる複数の縦格子子１１と、平板状で図中横方向に延びる複数の横格子子１２とによって格子状に形成されている。両端に位置する（図１中最上下の）横格子子１２を除く横格子子１２の上面側には、図２に示すように、等間隔に複数の収容部１２ａが形成されている。この収容部１２ａは、図３に示すように、上方が開口した凹状で、敷設が想定されるケーブルＣを収容可能で（ケーブルＣがグレーチング１の上面から突出しないで）、かつ横格子子１２が設計上の荷重、衝撃に耐えられるような大きさに設定されている。このような収容部１２ａが、縦格子子１１と縦格子子１１との間に形成され、各横格子子１２の収容部１２ａが直線状に（図１中縦方向に）位置している。
【００１５】
また、収容部１２ａに収容されたケーブルＣをグレーチング１の外側に導く端部、つまり、両端に位置する横格子子１２周辺には、ケーブルＣを面で支持する面支持部１３が設けられている。この面支持部１３は、図４に示すように、収容部１２ａの周縁と、端部に位置する（図中奥側の）横格子子１２の上端縁とを結ぶ滑り台状で、ケーブルＣを敷設した際に、ケーブルＣが支持面１３ａと確実に面接触するように成形されている。すなわち、ケーブルＣが端部側（図中奥側）の横格子子１２の上端縁と接触しないようにやや上方に盛り上がっている。
【００１６】
ここで、ケーブルＣが全く変形しない場合には、ケーブルＣと支持面１３ａとは厳密には線接触するが、この実施の形態では、この場合も面接触に含むこととする。つまり、ケーブルＣをスポットではなく、連続した領域（面、線）で支持するものである。また、この実施の形態では、支持面１３ａが平面状であるが、ケーブルＣの曲率に合わせて湾曲させてもよい。
【００１７】
次に、このような構成のグレーチング１の作用などについて説明する。
【００１８】
まず、グレーチング１の上に、電線や通信線などのケーブルＣを敷設するには、連続した収容部１２ａに沿って、ケーブルＣを上から収容部１２ａに収容（挿入）する。また、グレーチング１の端部においては、ケーブルＣを面支持部１３の上に載せて、ケーブルＣを収容部１２ａおよび面支持部１３に這わせる。これにより、図５、６に示すように、ケーブルＣがグレーチング１内に収容された状態となり、ケーブルＣがグレーチング１の上面から突出しなくなる。また、グレーチング１の端部においては、ケーブルＣが面支持部１３によって面で支持され、グレーチング１の外側に延びた状態となる。
【００１９】
以上のように、このグレーチング１によれば、ケーブルＣを収容部１２ａに収容することで、ケーブルＣがグレーチング１の上面から突出することが避けられ、ケーブルＣが人に踏まれたり、重量物で押圧されたりすることがない。また、グレーチング１の端部においては、ケーブルＣがグレーチング１の外側に向かい外部に突出した状態となる。しかし、外側に向かう堺部（図６中Ｃ１、屈曲部）、つまりグレーチング１の端部では、堺部Ｃ１が面支持部１３によって面で支持されるため、堺部Ｃ１の上を人が踏んだり、重量物が置かれたりしたとしても、堺部Ｃ１に与える応力が軽減される。なお、路面Ｒと接する部分においては、ケーブルＣと路面Ｒとは、面または線で接触しているため、ケーブルＣの上を人が踏んだりしたとしても、ケーブルＣに与える応力は小さい。これらの結果、ケーブルＣの損傷や劣化を著しく軽減することができる。
【００２０】
また、収容部１２ａは上方が開口した凹状であるため、ケーブルＣを上から入れたり出したりするだけで、容易にケーブルＣを収容、取り出しできる。しかも、凹状の収容部１２ａと面支持部１３とを設けるだけであるため、構造が簡単で、安価となる。さらに、ケーブルＣがグレーチング１の上面から突出しないため、人がケーブルＣに足を引っ掛けて転倒などすることも回避できる。
【００２１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、横格子子１２に収容部１２ａを設けているが、縦格子子１１に設けてもよく、双方に設けてもよい。また、グレーチング１が鋼製であるが、ステンレス製やＦＲＰ（繊維強化プラスチック）製などであってもよいことは勿論である。
【００２２】
ところで、上記の実施の形態では、各縦格子子１１間に収容部１２ａを設けているが、中央の縦格子子１１間のみに、あるいは両側の縦格子子１１間のみに、複数のケーブルＣを収容可能な大きな収容部を設けてもよい。この場合、横格子子１２を補強するために、収容部（凹部）の下方に補強リブなどを設けてもよい。また、収容部に収容されたケーブルＣをカバーする蓋を設けてもよい。
【００２３】
また、上記の実施の形態では、両端に位置する（図１中最上下の）横格子子１２に面支持部１３を設けているが、複数のグレーチングを直列に配置する場合などには、図７に示すように、面支持部１３を設けずに、すべての横格子子１２に収容部１２ａを設けてもよい。そして、図８に示すように、このようなグレーチング２を複数、収容部１２ａが直線上に位置するように配置することで、ケーブルＣを複数のグレーチング２にわたって敷設することができるものである。
【図面の簡単な説明】
【００２４】
【図１】この発明の実施の形態に係るグレーチングを示す平面図である。
【図２】図１のＡ−Ａ断面図である。
【図３】図２中の収容部の拡大図である。
【図４】図１のグレーチングの面支持部を示す斜視図である。
【図５】図１のグレーチングにケーブルを敷設した状態を示す平面図である。
【図６】図５の右側面図である。
【図７】この発明の実施の形態に係る別のグレーチングを示す平面図である。
【図８】図７のグレーチングを複数配置してケーブルを敷設した状態示す模式図である。
【符号の説明】
【００２５】
１、２    グレーチング
１１      縦格子子
１２      横格子子
１２ａ    収容部
１３      面支持部
１３ａ    支持面
Ｃ        ケーブル
Ｒ        路面
【図１】
2010144343.tif 000003
【図２】
2010144343.tif 000004
【図３】
2010144343.tif 000005
【図４】
2010144343.tif 000006
【図５】
2010144343.tif 000007
【図６】
2010144343.tif 000008
【図７】
2010144343.tif 000009
【図８】
2010144343.tif 000010